(57)【特許請求の範囲】
【請求項１】
情報単位の入力情報ストリームを出力情報ストリームに変換するコード化ステップを有する、前記入力情報ストリームを一オペレーションでコード化する方法であって、当該出力情報ストリームが、可変ビットレートRＥＮＣを有する情報単位のストリームであり、前記可変ビットレートRＥＮＣが、最小値RＥＮＣ，ＭＩＮと最大値RＥＮＣ，ＭＡＸとの間にあり、少なくとも一つの制御信号Rが、前記コード化ステップを制御する、入力情報ストリームをコード化する方法において、
この方法が、
任意の時点Ｔにおいて、前記可変ビットレートの選ばれた平均値RＥＮＣ，ＡＶＥＲに、前記時点Ｔが乗じられた値分減算された、前記コード化ステップで生成された情報単位の量ENCＯＵＴ(T)である、量ENCＯＵＴ(T)- RＥＮＣ，ＡＶＥＲ・Tが記録される記録ステップと、
前記記録ステップにおいて記録された前記量ENCＯＵＴ(T)- RＥＮＣ，ＡＶＥＲ・Tにつき、式ENCＯＵＴ(T)- RＥＮＣ，ＡＶＥＲ・T≦-α・TＶＢ・RＥＮＣ，ＡＶＥＲ（TＶＢは、選択された時定数を表し、αは選択された一定値を表す）が真の場合、所定の値を有する第１の通知用信号SＵＮＤＥＲが生成され、式ENCＯＵＴ(T)- RＥＮＣ，ＡＶＥＲ・T≧α・TＶＢ・RＥＮＣ，ＡＶＥＲが真の場合、所定の値を有する第２の通知用信号SＯＶＥＲが生成される比較ステップと、
前記所定の値を有する第１の通知用信号SＵＮＤＥＲが生成された場合、前記少なくとも一つの制御信号は、前記出力情報ストリームの前記可変ビットレートの前記最小値RＥＮＣ，ＭＩＮが前記RＥＮＣ，ＡＶＥＲに等しくなるように、前記コード化ステップを制御し、そして前記所定の値を有する第２の通知用信号SＯＶＥＲが生成された場合、前記少なくとも一つの制御信号は、前記出力情報ストリームの前記可変ビットレートの前記最大値RＥＮＣ，ＭＡＸが前記RＥＮＣ，ＡＶＥＲに等しくなるように、前記コード化ステップを制御する、制御ステップとを
有することを特徴とする方法。
【請求項２】
前記選択された一定値αが1の値を有することを特徴とする請求項１に記載の方法。
【請求項３】
前記制御ステップにおいて生成される前記少なくとも一つの制御信号Rの全ての状態が、テーブルの要素に記録され、そして、生成される前記少なくとも一つの制御信号Rの状態として、前記テーブルからの要素が、前記第１の通知用信号SＵＮＤＥＲおよび前記第２の通知用信号SＯＶＥＲの状態に応じて選択されることを特徴とする請求項１または２に記載の方法。
【請求項４】
前記テーブルの要素の数が、2・TＶＢ・RＥＮＣ，ＡＶＥＲ+1に等しいことを特徴とする請求項３に記載の方法。
【請求項５】
前記第１の通知用信号SＵＮＤＥＲおよび／または前記第２の通知用信号SＯＶＥＲが、時間Tの関数として、前記記録ステップにおいて記録される、前記量ENCＯＵＴ(T)- RＥＮＣ，ＡＶＥＲ・Tの導関数を有することを特徴とする請求項１から４いずれか１項に記載の方法。
【請求項６】
前記コード化ステップにおいて生成される情報単位の量ENCＯＵＴ(T)に、この方法の開始時において、初期値ENCＯＵＴ(0)が割り当てられることを特徴とする請求項１から５いずれか１項に記載の方法。
【請求項７】
前記制御ステップにおいて生成される少なくとも一つの制御信号の状態が、前記入力情報ストリームのコンテントを示す外から供給される指示信号に依存することを特徴とする請求項１から６いずれか１項に記載の方法。
【請求項８】
情報単位の入力情報ストリームを出力情報ストリームにコード化するコード化装置であって、当該出力情報ストリームが、最小値RＥＮＣ，ＭＩＮと最大値RＥＮＣ，ＭＡＸの間にある可変ビットレートRＥＮＣを有する情報単位のストリームとされる、コード化装置において、
この装置が、
当該コード化装置によって生成される情報単位の量ENCＯＵＴ(T)を記録する手段と、
前記記録する手段に接続され、式ENCＯＵＴ(T)- RＥＮＣ，ＡＶＥＲ・Tに従って、前記可変ビットレートの選ばれた平均値RＥＮＣ，ＡＶＥＲに、時点Ｔが乗じられた値分減算された、記録された前記情報単位の量ENCＯＵＴ(T)を決定する手段と、
前記決定する手段に接続され、式ENCＯＵＴ(T)- RＥＮＣ，ＡＶＥＲ・T≦-α・TＶＢ・RＥＮＣ，ＡＶＥＲ（TＶＢは、選択された時定数を表し、αは選択された一定値を表す）が真の場合、所定の値を有する第１の通知用信号SＵＮＤＥＲを生成し、式ENCＯＵＴ(T)- RＥＮＣ，ＡＶＥＲ・T≧α・TＶＢ・RＥＮＣ，ＡＶＥＲが真の場合、所定の値を有する第２の通知用信号SＯＶＥＲを生成する通知用信号生成手段と、
前記通知用信号生成手段に接続され、前記所定の値を有する第１の通知用信号SＵＮＤＥＲが生成された場合、前記出力情報ストリームの前記可変ビットレートの前記最小値RＥＮＣ，ＭＩＮが前記RＥＮＣ，ＡＶＥＲに等しくなるようになす、当該コード化装置を制御する少なくとも一つの制御信号を生成し、そして前記所定の値を有する第２の通知用信号SＯＶＥＲが生成された場合、前記出力情報ストリームの前記可変ビットレートの前記最大値RＥＮＣ，ＭＡＸが前記RＥＮＣ，ＡＶＥＲに等しくなるようになす、当該コード化装置を制御する少なくとも一つの制御信号を生成する、制御信号生成手段とを
有することを特徴とするコード化装置。
【請求項９】
前記装置に、記録される前記情報単位の量ENCＯＵＴ(T)の初期値ENCＯＵＴ(0)を入力する手段が設けられていることを特徴とする請求項８に記載のコード化装置。
【請求項１０】
記録担体に情報ストリームを記録する記録手段を有する記録装置において、前記記録装置が、請求項８または９に記載のコード化装置を有することを特徴とする記録装置。
【請求項１１】
前記記録装置に、決定された前記量ENCＯＵＴ(T)- RＥＮＣ，ＡＶＥＲ・Tを前記記録担体に記録する手段が設けられていることを特徴とする請求項１０に記載の記録装置。
【発明の詳細な説明】
【０００１】
【発明が属する技術分野】
本発明は、情報単位のストリーム[RIN]を有する入力情報ストリームを出力情報ストリームに変換するコード化ステップを有する、入力情報ストリームを一オペレーションでコード化する方法であって、当該出力情報ストリームが、情報単位の可変ストリーム[RENC]を有し、情報単位の前記可変ストリームが、最小値RENC, MINと最大値RENC, MAXとの間にあり、少なくとも一つの制御信号[R]が、前記コード化ステップの効果に影響を与えることが出来る、入力情報ストリームをコード化する方法に関する。
【０００２】
本発明は、情報単位のストリーム[RIN]を有する入力情報ストリームを出力情報ストリームにコード化するコード化装置であって、当該出力情報ストリームが、最小値[RENC, MIN]と最大値[RENC, MAX]の間にある情報単位の可変ストリーム[RENC]を有する、コード化装置にも関する。
【０００３】
本発明は、記録担体に情報ストリームを記録する記録手段を有する、情報ストリームを記録担体に記録する記録装置にも関する。
【０００４】
【従来の技術】
このような方法、コード化装置および記録装置は、欧州特許出願EP 0 802 682（「ビデオエンコーダおよび記録装置」（刊行日1997年10月22日））から公知である。この出願は、コード化情報が、ディスク（例えば、ディジタルビデオディスク（DVD））に記録される、ビデオ情報をコード化するシステムを開示する。この目的のために、このシステムは、可変出力情報ストリーム（可変ビットレート（Variable Bit Rate, VBR））を有する圧縮ユニットを有する。このような圧縮ユニットの具体例は、とりわけ、IEEE Transactions on Consumer Electronics、第41巻、第3号、1995年8月、504-509頁、「可変ビット伝送速度を使用するビデオディスクシステム」に記載されている、MPEG2方法に従って作動するユニットである。上述の出願から公知であるこのシステムは、一オペレーションで情報ストリームをコード化することに適している。ビデオ情報を記録するのに必要な、前もってわからない量の記憶空間を生成する可変出力情報ストリームと、ディスクに存在する記憶空間の固定された量とのため、圧縮ユニットは、制限された可変出力情報ストリームモード（制約VBR）で動作する。ディスクの記憶空間の量が、ビデオ情報の所望の量を格納するのに充分であるように、出力ストリームの変化は、動的に制限される。出力ストリームの変化は、例えば、情報単位の可変ストリームの最大値[RMAX]、情報単位の可変ストリームの最小値[RMIN]および量子化スケール[QSC]のような、圧縮ユニットの質を規定するパラメータを制御することにより制限される。可変出力情報ストリームを有する圧縮ユニットが、一定出力情報ストリーム（Constant Bit Rate、CBR）を有する圧縮ユニットより、同じ画質でより有効なコード化を生じることは、公知である。
【０００５】
この公知のシステムにおける問題は、情報単位で表されるディスク上の記憶空間と、ディスクに格納することができる時間の長さで表される情報量との間に線形関係がないことである。これはユーザを非常に混乱させる。何故ならば、ユーザは、記録の間、時間の長さに換算して、どの程度の記憶容量が、残っているか判らないからである。さらに、所定長さの時間を有する情報ブロックが消去された場合、その時間の長さが、情報を有する消去されたブロックの時間の長さとはかなり相違する情報が、この消去されたブロック内に格納され得ることは、混乱を生じさせることである。
【０００６】
【課題を解決するための手段】
本発明の１つの目的は、ユーザに対して、コード化された情報ストリームの時間の長さと、コード化された情報ストリームを格納するために必要な格納空間との間に、実質上線形の関係が、存在するように見える、情報ストリームを情報単位の可変ストリームにコード化する方法を提供することである。
【０００７】
本発明によると、この目的は、前記方法が、
任意の時点Ｔにおいて、前記出力情報ストリームの情報単位の前記可変ストリームの選ばれた平均値[RＥＮＣ，ＡＶＥＲ]に、前記時点Ｔが乗じられた値分減算された、前記コード化ステップで生成された情報単位の量[ENCＯＵＴ(T)]が、式[ENCＯＵＴ(T)- RＥＮＣ，ＡＶＥＲ・T]に従って、記録される測定ステップと、
前記測定ステップにおいて記録された情報単位の前記量[ENCＯＵＴ(T)- RＥＮＣ，ＡＶＥＲ・T]が、少なくとも一つの基準と比較され、かつ少なくとも一つの通知用信号[S]が生成される比較ステップと、
少なくとも一つの制御信号[R]が、生成され、前記制御信号の状態が、前記比較ステップにおいて生成される前記通知用信号[S]のうちの少なくとも1つの状態に依存し、かつその制御信号が前記コード化ステップの前記効果に影響する、制御ステップとを
有する、入力情報ストリームをコード化することを特徴とする方法によって達成される。
【０００８】
任意の時点Ｔにおいて、コード化ステップにおいて生成される情報単位の量ENCOUT(T)は、記録される。この量は、出力情報ストリームRENC, AVERにおける情報単位の可変ストリームの選ばれた平均値に時点Tが乗じられた値分減算させられる。これらのデータによって、コード化ステップにおいて生成されかつ最小値RENC, MINと最大値RENC, MAXの間の範囲にある情報単位の可変ストリーム（可変ビットレート（Variable Bit Rate））は、任意の時点Ｔにおいて、選択された値RENC, AVERを有する情報単位の一定ストリーム（Constant Bit Rate）と、仮想バッファに格納される情報単位の量[ENCOUT(T)-RENC, AVER・T]とにより表すことが出来る。情報単位の一定ストリームにより、情報単位で表されるディスクの格納空間DSIZEと、格納させることができる時間の長さTDISCで表された情報量との間に、線形関係、すなわち、TDISC = DSIZE/RENC, AVERの関係を確立させることができる。コード化ステップにおいて生成される情報単位のストリームが、実際には可変ストリームであるので、TDISCは実際には近似値である。TDISCの実際の値とTDISCの近似値の間の差は、（ENCOUT(T)-RENC, AVER・T)/RENC, AVERである。
【０００９】
比較ステップにおいて、仮想バッファに格納される情報単位の量が、少なくとも一つの基準と比較され、少なくとも一つの通知用信号が生成される。通知用信号の状態は、比較の結果に依存する。続いて、コード化ステップの効果に影響する制御信号、つまりコード化ステップにおいて生成される情報単位ENCOUT(T)の量が、通知用信号に応じて生成される。通知用信号と制御信号の機能は、仮想バッファに格納される情報単位の量、つまり、TDISCの実際の値に対する近似値TDISCの差に、影響を与えることができる。
【００１０】
比較ステップの基準は、この方法の開始時で常に同一である基準に決めておくことができる。しかしながら、これに代えて、この方法の以前の実行に応じて基準を変更することも可能である。これらのいわゆる自己学習基準は、この方法の開始時に必ずしも同一である必要はない。
【００１１】
本発明の方法の一実施例が特徴とする点は、
第一基準が-α・TＶＢ・RＥＮＣ，ＡＶＥＲで、かつ第二基準がα・TＶＢ・RＥＮＣ，ＡＶＥＲで（TＶＢは、選択された時定数を表し、αは選択された一定値を表す）、そして
式ENCＯＵＴ(T)- [RＥＮＣ，ＡＶＥＲ]・T≦-α・TＶＢ・RＥＮＣ，ＡＶＥＲが真の場合、第１の通知用信号[SＵＮＤＥＲ]は、所定の値を取得し、そして
式ENCＯＵＴ(T)- [RＥＮＣ，ＡＶＥＲ]・T≧α・TＶＢ・RＥＮＣ，ＡＶＥＲが真の場合、第２の通知用信号[SＯＶＥＲ]が所定の値を取得し、そして
前記第１の通知用信号[SＵＮＤＥＲ]が前記所定の値を有する場合、少なくとも一つの制御信号が、前記出力情報ストリームの情報単位の前記可変ストリームの前記最小値[RＥＮＣ，ＭＩＮ]がRＥＮＣ，ＡＶＥＲに等しくなるように、前記コード化ステップの前記効果に影響し、そして
前記第２の通知用信号[SＯＶＥＲ]が前記所定の値を有する場合、少なくとも一つの制御信号が、前記出力情報ストリームの情報単位の前記可変のストリームの前記最大値[RＥＮＣ，ＭＡＸ]がRＥＮＣ，ＡＶＥＲに等しくなるように、前記コード化ステップの前記効果に影響することである。
【００１２】
この実施例の場合、仮想バッファに格納される情報単位の量ENCOUT(T)-RENC, AVER・Tは、-α・TVB・RENC, AVERとαTVB・RENC, AVERの間の値に制限される。従って、TDISCの実際の値に対するTDISCの近似値の差は、-αTVBとαTVBの間の値に制限される。可変出力情報ストリームの最小値RENC, MINまたは最大値RENC, MAXを採用することにより、仮想バッファに格納される情報単位の量ENCOUT(T)-RENC, AVER・Tが、-αTVB・RENC, AVERとαTVB・RENC, AVERの間の範囲外の値を取得することが防止される。
【００１３】
本発明の方法の一実施例が特徴とする点は、前記選択された一定値αが1の値を有することである。
【００１４】
この実施例の場合、選択された時定数TVBが、TDISCの実数値に対するTDISCの近似値の最大差を表す。
【００１５】
本発明の方法の一実施例が特徴とする点は、前記制御ステップにおいて生成される前記制御信号[R]の全ての状態が、テーブルの要素に記録され、そして前記テーブルからの要素が少なくとも一つの通知用信号[S]の状態に応じて選択され、そして前記選択された要素に記録される前記制御信号の前記状態が、生成されることである。
【００１６】
N個の要素を有する、ルックアップテーブルと呼ばれるテーブルにおいて、制御ステップにおいて生成される制御信号の全ての状態は、ルックアップテーブルの要素に置かれる。要素ごとに、同時に発生するこれらの制御信号に対する制御信号の状態が記録される。所定の制御信号は、ルックアップテーブルの複数の要素に組み込ませることができる。その場合、制御信号の固定値は各要素ごとに異なっていても良い。
【００１７】
少なくとも一つの通知用信号の状態に依存して、ルックアップテーブルからの所定の要素が、選択される。選択された要素に組み込まれる制御信号は、続いて、選択された要素に置かれた値を取得する。
【００１８】
本発明の方法の一実施例が特徴とする点は、前記テーブルの要素の数が、2・TＶＢ・RＥＮＣ，ＡＶＥＲ+1に等しいことである。
【００１９】
ルックアップテーブルの要素の数Nが、2・TVB・RENC, AVER+1に等しく、かつTDISCの実際の値に対するTDISCの近似値の差が、 選択された時定数TVBより大きくならない場合、仮想バッファに格納される情報単位の量の各値ENCOUT(T)-RENC, AVER・Tは、式ENCOUT(T)-RENC, AVER・T=Mが、真である場合（Mは、-TVB・RENC, AVERとTVB・RENC, AVERの間の整数）に、状態Mを取得する通知用信号により、ルックアップテーブルの要素に割り当てられることができる。
【００２０】
本発明の方法の一実施例が特徴とする点は、少なくとも一つの通知用信号[S]が、時間Tの関数として、前記測定ステップにおいて記録される、情報単位[ENCOUT(T)-RENC, AVER・T]の量の導関数を有することである。
【００２１】
時間導関数（ENCOUT(T)-RENC, AVER・T)/Ｔを有する比較ステップにおいて生成される通知用信号は、仮想バッファENCOUT(T)-RENC, AVER・Tに格納される情報単位の量におけるトレンドを示すことが出来る。続いて、通知用信号に含まれる制御信号を信号化されたトレンドに依存して生成させることができる。この制御信号は、コード化ステップの効果、そしてそれゆえに、このコード化ステップにおいて生成される情報単位の量ENCOUT(T)に影響する。
【００２２】
本発明の方法の一実施例が特徴とする点は、前記コード化ステップにおいて生成される情報単位の量[ENCＯＵＴ(T)]に、この方法の開始時において、初期値ENCＯＵＴ(0)が割り当てられることである。
【００２３】
本発明のこの方法が入力情報ストリームに繰り返し実行される場合、そして関連する出力情報ストリームがディスクのような同じ記録担体に格納される場合、TDISCの実際の値に対するTDISCの近似値の合計の最大差は、情報単位の量[ENCOUT(0)]がこの方法の各実行の開始時で0である場合、この方法の各実行に対するTDISCの実数値に対するTDISCの近似値の個別の最大差の集積値となるであろう。
【００２４】
この差の集積は、この方法の開始時において、初期値ENCOUT(0)を、コード化ステップにおいて生成される情報単位の量[ENCOUT(T)]に割り当てることにより防止することができる。出力情報ストリームが記録担体に格納されるこの方法のi番目の実行で割り当てられる初期値ENCOUT(0)が、出力情報ストリームが同じ記録担体に格納されるこの方法の(i-1)番目の実行の終了時における値ENCOUT(T)-RENC, AVER・Tに等しい場合、偏差の集積はないであろう。これに代えて、この方法のi番目の実行時に割り当てられる初期値ENCOUT(0)を、(i-1)番目の実行の終了時にENCOUT(T)-RENC, AVER・Tの値から導出された値とすることができる。たとえば、以前の時点で記録担体に記録された出力情報ストリームの部分または全体の出力情報ストリームが、消去されまたは上書きされている場合が、これに当たる。
【００２５】
この方法のi番目の実行時に割り当てられる初期値ENCOUT(0)は、記録担体のテーブルオブコンテンツ（TOC）または記録担体に格納されている情報の記録担体上の分布からも抽出することができる（ここで、この方法の(i-1)番目の実行に関連した出力情報ストリームは、記録担体に格納されている）。
【００２６】
本発明のこの方法の一実施例が特徴とする点は、前記測定ステップにおいて記録される情報単位の量[ENCOUT(T)-RENC, AVER・T]の値が、規定されることである。
【００２７】
測定ステップにおいて記録される情報単位の量[ENCOUT(T)-RENC, AVER・T]の値は、この値が、例えば、この方法の次の実行時に初期値ENCOUT(0)として使用することができるように、規定される。
【００２８】
測定ステップにおいて記録される情報単位の量[ENCOUT(T)-RENC, AVER・T]の値は、例えば、この方法の終了時に一度、または、中間の通常の間隔でより多くの時点で、規定することができる。
【００２９】
本発明の方法の一実施例が特徴とする点は、前記制御ステップにおいて、少なくとも一つの制御信号が生成され、前記制御信号の状態が、前記入力情報ストリームのコンテントを示す外から供給される指示信号に依存することである。
【００３０】
入力情報ストリームのコンテントを示す外から供給される指示信号は、少なくとも一つの制御信号によるコード化ステップを制御する。この制御は、情報の所定の型または種類を有する入力情報ストリームに対して、この種の情報に対するコード化ステップが適切に進むように行うことができる。指示信号は、例えば、手動で供給させ、または入力情報ストリームと同じソースから得ることができる。
【００３１】
本発明の別の目的は、ユーザには、コード化情報ストリームの時間の長さとコード化情報ストリームを格納するために必要な格納空間との間に、実質的に線形である関係が、存在するように見える、情報ストリームを情報単位の可変ストリームにコード化する方法を使用するコード化装置を提供することである。
【００３２】
この目的は、前記装置が、
圧縮ユニットと、
前記コード化装置によって生成される情報単位の量[ENCＯＵＴ(T)]を記録する手段と、
式ENCＯＵＴ(T)- RＥＮＣ，ＡＶＥＲ・Tに従って、前記出力情報ストリームの情報単位の前記可変のストリームの選ばれた平均値[RＥＮＣ，ＡＶＥＲ]に、前記時点Ｔが乗じられた値分減算された、情報単位の前記記録された量[ENCＯＵＴ(T)]を決定する手段と、
情報単位の前記決定された量を少なくとも一つの基準と比較する手段と、
少なくとも一つの通知用信号を生成する手段と、
少なくとも一つの制御信号を生成する手段とを
有することにより達成される。
【００３３】
本発明のコード化装置の一実施例が特徴とする点は、前記装置に、前記記録された情報単位の量の初期値[ENCＯＵＴ(0)]を入力する手段が設けられていることである。
【００３４】
本発明の更なる目的は、ユーザに対して、コード化情報ストリームを格納するために必要な格納空間と、コード化情報ストリームの時間の長さの間に、実質上線形の関係が、存在するように見える、情報ストリームを情報単位の可変ストリームにコード化する方法を使用するコード化装置を使用する、記録担体に情報ストリームを記録する記録装置を提供することである。
【００３５】
この目的は、前記装置が、本発明のコード化装置を有することを特徴とする、本発明の記録担体に情報ストリームを記録する、記録装置を提供することによって達成される。
【００３６】
本発明の記録装置の一実施例が特徴とする点は、前記装置に、情報単位の前記決定された量ENCＯＵＴ(T)- RＥＮＣ，ＡＶＥＲ・Tを前記記録担体に記録する手段が設けられていることである。
【００３７】
【発明を実施するための形態】
これらのそしてまた他の本発明の態様は、以下に記載する実施例を参照して明らかになるであろう。
【００３８】
これらの図において、すでに記載されている要素に対応する要素は、同じ参照番号により示されている。
【００３９】
図1は、本発明の方法のフローチャートを示す。コード化ステップ10において、入力情報ストリーム15が、出力情報ストリーム16に変換される。コード化ステップ10において時点Ｔまでに生成された出力情報ストリーム16における情報単位の量ENCOUT(T)は、測定ステップ11において記録され、そして出力情報ストリーム16における情報単位のストリームの選択された平均値RENC, AVERに時点Tを乗算した値分減じられ、ENCOUT(T)-RENC, AVER・Tの値17となる。この値17は、比較ステップ12に与えられる。この方法の開始時に、初期値ENCOUT(0)を、情報単位の生成された量に割り当てることができる。
【００４０】
比較ステップ12において、値17は少なくとも一つの基準と比較される。さらに、少なくとも一つの通知用信号18が、比較ステップ17において生成される。通知用信号18の一つの状態は、値17の少なくとも一つの基準との比較の結果に依存させることができる。通知用信号18は、制御信号19が生成される制御ステップ13に与えられる。この制御信号19の状態は、通知用信号18の少なくとも一つに依存する。制御信号19は、コード化ステップ10の効果に影響を与えるように使用することができる。
【００４１】
図2は、本発明のコード化装置200のダイアグラムである。コード化装置200は、入力21により供給される入力情報ストリーム20を出力23での出力情報ストリーム24に変換する圧縮ユニット22を有する。圧縮ユニット22は、例えば、ビデオ信号に対してISO/IEC13818-2、またはオーディオ信号に対してISO-IEC13818-3のMPEG2の従来型のものである。出力情報ストリーム24は、情報単位の可変ストリーム（可変ビットレート（Variable Bit Rate, VBR））を有し、この可変ストリームは制御信号25により制御可能である。
【００４２】
測定ブロック32は、コード化装置により生成される情報単位の量ENCOUT(T)を記録する手段321を有する。信号30により、初期値を、コード化装置により生成された情報単位の量ENCOUT(0)に割り当てることができる。コード化装置により生成された記録された情報単位の量ENCOUT(T)は、信号322を介して、これも測定ブロック32に存在する手段323に与えられる。この手段323は、式ENCOUT(T)-RENC, AVER・Tに従って、出力情報ストリームにおける情報単位の可変ストリームの選択された平均値[RENC, AVER]に時点Ｔが乗じられた値分減算された、任意の時点Ｔにおける記録された情報単位の量[ENCOUT(T)]を決定する。
【００４３】
ブロック32において決定された情報単位の量ENCOUT(T)-RENC, AVER・Tの値は、信号33を介して比較ブロック34に与えられる。この比較ブロック34において、情報単位の決定された量ENCOUT(T)-RENC, AVER・Tは、比較手段341により少なくとも一つの基準と比較される。少なくとも一つの通知用信号35が、ブロック343における手段により生成される。通知用信号35の状態は、とりわけ、比較手段341により実行される比較の結果の信号342に依存する。特定時点TXにおいて、ブロック32において決定された情報単位の量ENCOUT(TX)-RENC, AVER・TXの値は、信号38を介して使用可能にすることができる。
【００４４】
ブロック36は、少なくとも一つの制御信号25（例えば、RMAX、RMINおよびQSC）を生成する手段を有する。制御信号25の状態は、通知用信号35の少なくとも一つに依存する。入力情報ストリーム20のコンテントに典型的な指示信号39は、制御信号25の状態に影響を与えることができる。
【００４５】
図3は、ディスク形状の記録担体49に情報を書込む、本発明の記録装置のダイアグラムである。本発明は、これに代えて、これらのディスク形状の記録担体とは形状が異なる（例えば、光学または磁気テープの）書き込み可能な記録担体に対して使用することもできる。
【００４６】
この記録装置は、コード化装置200を有する。この記録装置は、とりわけ、記録担体49に情報を書込む読取り／書込みヘッド412、読取り／書込みユニット411、およびシステムドライブ413を備えた、記録手段41を有するブロックも有する。
【００４７】
入力情報ストリーム20は、コード化装置により出力情報ストリーム24に変換され、このストリームは、続いて、読取り／書込みユニット411において書込み信号413に変換される。この書込み信号413は、読取り／書込みヘッド412に結合される。記録担体49は、信号45によりシステムドライブ413により制御される駆動手段43により、回転可能に駆動される。読取り／書込みヘッド412は、ビーム42により記録担体49を走査し、そしてそこにおける、例えば、CDまたはDVDの情報を表すマークのパターンを読取り／書込む。
【００４８】
コード化装置200において決定された情報単位の量ENCOUT(TX)-RENC, AVER・TXに対する値は、読取り／書込みユニット411に与えられる。この読取り／書込みユニット411は、続いて信号38を書込み信号413に変換する。このようにして、情報単位の決定された量ENCOUT(TX)-RENC, AVER・TXの値は、記録担体49に与えることができる。
【００４９】
初期値は、信号30により、コード化装置200により生成された情報単位の量ENCOUT(0)に割り当てることができる。読取り／書込みヘッド412および読取り／書込みユニット411は、記録担体49に存在する情報から信号30を発生させる。この情報は、情報単位ENCOUT(TX)-RENC, AVER・TXの以前に固定された、決定量から構成することができる。この情報を、これに代えて、情報単位の以前に固定された、決定量ENCOUT(TX)-RENC, AVER・TXから導出された情報から構成しても良い。たとえば、記録担体49に以前に記録された全体の出力情報ストリーム24または一部が消去されている、または上書きされている場合が、これに該当する。
【００５０】
これに代えて、信号30を、読取り／書込みヘッド412および読取り／書込みユニット411により、記録担体49に存在しかつ記録担体のテーブルオブコンテンツに記録されている情報から、発生させることもできる。
【図面の簡単な説明】
【図１】本発明の方法のフローチャートを示す。
【図２】本発明のコード化装置のダイアグラムである。
【図３】本発明の記録装置のダイアグラムである。
【符号の説明】
10  コード化ステップ
12  比較ステップ
15  入力情報ストリーム
18  通知用信号
19  制御信号
20  入力情報ストリーム
22  圧縮ユニット
24  出力情報ストリーム
32  測定ブロック
34  比較ブロック
49  記録担体
200  コード化装置
411  読取り／書込みユニット
412  読取り／書込みヘッド
413  システムドライブ
【図１】
0004474051.tif 000002
【図２】
0004474051.tif 000003
【図３】
0004474051.tif 000004